(57)【要約】      （修正有）【課題】二次装置の個数が少なく、占有面積が小さく、施工やメンテナンスが容易な、スマート変電所の保護制御システムに用いるスマート電力サーバを提供する。【解決手段】スマート変電所におけるすべてのベイのマージングユニット・インテリジェント端末一体化ユニットがいずれもスマート電力サーバに直接接続され、各マージングユニット・インテリジェント端末一体化ユニットが、いずれも組み込み式高帯域幅交換通信ネットワークを介してスマート電力サーバにおける１つのみの伝送ポートに接続される。スマート変電所の保護制御システムに用いるスマート電力サーバは、測定制御モジュール２０１と、保護モジュール２０２と、遠隔操作モジュール２０３と、交換モジュール２０４と、を備える。【選択図】図２
2018057250.tif 000002
【特許請求の範囲】
【請求項１】
スマート変電所の保護制御システムに用いるスマート電力サーバであって、
前記スマート変電所におけるすべてのベイのマージングユニット・インテリジェント端末一体化ユニットがいずれも前記スマート電力サーバに直接接続され、各前記マージングユニット・インテリジェント端末一体化ユニットが、いずれも組み込み式高帯域幅交換通信ネットワークを介して前記スマート電力サーバにおける１つのみの伝送ポートに接続され、
前記スマート変電所におけるすべてのベイのマージングユニット・インテリジェント端末一体化ユニットに接続された一次装置、及び前記マージングユニット・インテリジェント端末一体化ユニットに対する測定と制御を実現する測定制御モジュールと、
前記スマート変電所におけるすべてのベイのマージングユニット・インテリジェント端末一体化ユニットに接続された一次装置、及び前記マージングユニット・インテリジェント端末一体化ユニットに対する保護を実現する保護モジュールと、
測定制御過程と保護過程で生じた測定制御情報と保護情報を収集し、ワークステーションに伝送し、前記ワークステーションからの指令に基づき前記一次装置に対する遠隔操作制御を実行する遠隔操作モジュールと、
前記マージングユニット・インテリジェント端末一体化ユニットとプロセスレベル装置とのデータ交換、前記スマート電力サーバと前記プロセスレベル装置とのデータ交換、前記スマート電力サーバとステーションレベル装置とのデータ交換、前記プロセスレベル装置同士のデータ交換、及び前記ステーションレベル装置同士のデータ交換を実現する交換モジュールと、を備えることを特徴とするスマート電力サーバ。
【請求項２】
前記スマート変電所は、スマート変電所全体をモデリング対象とし、変電所配置説明ＳＣＤにすべての保護機能の配置情報、測定制御機能の配置情報、交換機能の配置情報、遠隔操作機能の配置情報を直接追加し更新するという集中モデリング方式を採用することを特徴とする請求項１に記載のスマート電力サーバ。
【請求項３】
前記スマート変電所のＳＣＤファイルは、前記スマート変電所が計画したマージングユニット・インテリジェント端末一体化ユニット及び専用機能に基づき作成され、前記スマート変電所のＳＣＤファイルは各前記専用機能の配置情報が定義され、前記専用機能が前記スマート変電所の応用シーンに応じて設定され、
前記測定制御モジュールは、具体的には、測定制御機能の配置情報に定義された測定制御機能と前記伝送ポートとの対応関係に基づき、対応した伝送ポートを介して、指定したマージングユニット・インテリジェント端末一体化ユニットからサブスクライブするサンプル値ＳＶ／汎用オブジェクト指向変電所イベントＧＯＯＳＥデータを取得し、前記サブスクライブしたＳＶ／ＧＯＯＳＥデータを処理して、前記指定したマージングユニット・インテリジェント端末一体化ユニットに接続された一次装置及び指定したマージングユニット・インテリジェント端末一体化ユニットに対する測定制御を実現し、前記スマート電力サーバのインテリジェント電子デバイス配置説明ＣＩＤファイルはＳＣＤファイルに基づき生成され、測定制御機能の配置情報を含み、又は、
前記保護モジュールは、具体的には、保護機能の配置情報に定義された保護機能と前記伝送ポートとの対応関係に基づき、対応した伝送ポートを介して、指定したマージングユニット・インテリジェント端末一体化ユニットからサブスクライブするＳＶ／ＧＯＯＳＥデータを取得し、前記サブスクライブしたＳＶ／ＧＯＯＳＥデータを処理して、前記指定したマージングユニット・インテリジェント端末一体化ユニットに接続された一次装置及び指定したマージングユニット・インテリジェント端末一体化ユニットに対する保護を実現し、前記スマート電力サーバのＣＩＤファイルはＳＣＤファイルに基づき生成され、保護機能の配置情報を含み、又は、
前記遠隔操作モジュールは、具体的には、遠隔操作機能の配置情報に定義されたレポートブロックコンテンツに基づき、測定制御機能による測定制御過程及び／又は保護機能の保護過程で生じたレポート情報を収集し、前記レポート情報中の前記マージングユニット・インテリジェント端末一体化ユニットのメディアアクセス制御ＭＡＣアドレスを前記マージングユニット・インテリジェント端末一体化ユニットのネットワークプロトコルＩＰアドレスに変換し、前記レポート情報を前記ステーションレベル装置に送信し、前記スマート電力サーバのＣＩＤファイルはＳＣＤファイルに基づき生成され、遠隔操作機能の配置情報を含むことを特徴とする請求項１又は２に記載のスマート電力サーバ。
【請求項４】
前記スマート電力サーバのハードウェアプラットフォームは、リアルタイム処理用中央プロセッサチップ、主制御用中央プロセッサチップ、スイッチチップ及びフィールドプログラマブルゲートアレイＦＰＧＡアクセスチップを備え、
前記リアルタイム処理用中央プロセッサチップは、主トランス差動保護、主トランスサブ保護、サブ電源自動投入装置、低周波数・低電圧単独運転、ベイレベル・フェールセーフ、主トランス測定制御及び共用測定制御を含むリアルタイムタスクを処理し、
前記主制御用中央プロセッサチップは、遠隔操作機能を含む非リアルタイムタスクを処理し、
前記スイッチチップは、前記ＦＰＧＡアクセスチップとプロセスレベル装置とのデータ交換、前記主制御用中央プロセッサチップと前記プロセスレベル装置とのデータ交換、前記プロセスレベル装置同士のデータ交換、ステーションレベル装置同士のデータ交換を実現し、
前記ＦＰＧＡアクセスチップは、各前記マージングユニット・インテリジェント端末一体化ユニットから送信されたサンプル値メッセージと汎用オブジェクト指向変電所イベントメッセージをリアルタイムに受信し、受信したメッセージにサンプル値処理又は汎用オブジェクト指向変電所イベント処理を行って前記リアルタイム処理用中央プロセッサチップに伝送して専用機能処理を実現し、前記リアルタイム処理用中央プロセッサチップの処理結果に基づき前記マージングユニット・インテリジェント端末一体化ユニットに汎用オブジェクト指向変電所イベントメッセージを送信し、さらに、受信したサンプル値メッセージと汎用オブジェクト指向変電所イベントメッセージを前記スイッチチップにコピーし、前記スイッチチップによりプロセスレベルネットワークに送信することを特徴とする請求項３に記載のスマート電力サーバ。
【請求項５】
前記スマート変電所におけるすべてのベイのマージングユニット・インテリジェント端末一体化ユニットは、前記ＦＰＧＡアクセスチップの伝送ポートに１対１対応するように、いずれも１本の物理リンクのみを介して前記スマート電力サーバのＦＰＧＡアクセスチップの伝送ポートにアクセスされることを特徴とする請求項４に記載のスマート電力サーバ。
【請求項６】
前記スマート電力サーバは、前記マージングユニット・インテリジェント端末一体化ユニットから送信されたデータメッセージを、前記データメッセージを送信するマージングユニット・インテリジェント端末一体化ユニットの所属ベイ、前記マージングユニット・インテリジェント端末一体化ユニット及びメッセージタイプに応じて分類して記憶するための拡張可能マークアップ言語ＸＭＬデータベースがさらに設置されることを特徴とする請求項１又は２に記載のスマート電力サーバ。
【請求項７】
前記スマート電力サーバは、接続されたインテリジェント一次装置であって、前記マージングユニット・インテリジェント端末一体化ユニット、マージングユニット及びインテリジェント端末を含むインテリジェント一次装置にＩＰアドレスを割り当て、前記スマート電力サーバは、各前記インテリジェント一次装置のＭＡＣアドレスとＩＰアドレスのマッピング関係が記憶されることを特徴とする請求項３に記載のスマート電力サーバ。
【請求項８】
前記遠隔操作モジュールは、さらに、測定制御情報と保護情報を収集する過程で、前記インテリジェント一次装置のＭＡＣアドレスとＩＰアドレスのマッピング関係に基づき、前記測定制御情報と保護情報中のＭＡＣアドレスを対応したＩＰアドレスに置換し、ＩＰアドレスが載せられた測定制御情報と保護情報を前記ワークステーションに伝送することに用いられることを特徴とする請求項７に記載のスマート電力サーバ。
【請求項９】
前記スマート電力サーバは、専用機能モジュールとして、事故記録モジュール及びネットワーク分析記録モジュールをさらに備え、及び／又は、前記スマート電力サーバは、地域スケジューリングセンタに接続されるファイアウォールモジュールをさらに備えることを特徴とする請求項１又は２に記載のスマート電力サーバ。
【請求項１０】
前記スマート電力サーバは、事故記録データ、イベント順序記録データ、動作レポートの停電保持機能を提供する停電保持モジュールを備えることを特徴とする請求項９に記載のスマート電力サーバ。
【発明の詳細な説明】
【技術分野】
【０００１】
本発明は、スマート変電所の技術分野に関し、特にスマート変電所の保護制御システムに用いるスマート電力サーバに関する。
【背景技術】
【０００２】
スマート変電所は、変電所の一次装置、二次装置をスマート化対象とし、高速ネットワーク通信プラットフォームに基づき、スマート化情報を規格化することにより、情報共有と相互操作を実現し、更にネットワークデータに基づき、測定監視、制御保護、情報管理等の自動化を実現する変電所である。
【０００３】
スマート変電所は、ステーションレベル、ベイレベル及びプロセスレベルを備え、レベル同士が主にケーブルを介して効果的に接続される。各レベルは、それぞれ異なるシステム、機器及び装置が備えられ、互いに作用し合い、連動する。ステーションレベルは、変電所の電力量及び関連する運転データをリアルタイムに記録して収集する必要があり、作業者がスマート変電所の運転状態をリアルタイムに把握するためのプラットフォームである。ベイレベルは、主に測定制御装置や保護装置等の二次装置を備え、主にプロセスレベル装置に対する測定、制御及び保護を行う。
【０００４】
従来技術では、変電所は高圧線路部分、主トランス部分及び中圧側部分に分けられ、各部分はさらに異なる装置ベイに分けられる。保護装置は機能ごとに分けられる装置ベイに応じて分類されるため、変電所はベイごとに複数タイプの保護装置を有する可能性がある。１つのベイがＮ種の保護装置を有すると、該ベイのインテリジェント端末とマージングユニットがそれぞれＮ本のラインを介して該保護装置に接続される必要がある。従って、ベイレベルの二次装置の個数が多いため、二次装置の占有面積が大きく、デバッグ及びメンテナンスの作業負荷も大きく、また、プロセスレベルの配線が複雑で煩わしく、施工難度が大きいため、変電所全体のコストが高い。
【発明の概要】
【発明が解決しようとする課題】
【０００５】
上記事情に鑑みて、本発明の実施例は、従来技術にいて二次装置の個数が多く、占有面積が大きく、施工やメンテナンスの難度が大きいという技術的問題を解決するために、スマート変電所の保護制御システムに用いるスマート電力サーバを提供する。
【課題を解決するための手段】
【０００６】
本発明の実施例は、スマート変電所の保護制御システムに用いるスマート電力サーバを提供し、前記スマート変電所におけるすべてのベイのマージングユニット・インテリジェント端末一体化ユニットは、いずれも前記スマート電力サーバに直接接続され、すなわち組み込み式高帯域幅交換通信ネットワークを介して前記スマート電力サーバにおける１つのみの伝送ポートに接続され、
前記スマート電力サーバは、前記スマート変電所におけるすべてのベイのマージングユニット・インテリジェント端末一体化ユニットに接続された一次装置、及び前記マージングユニット・インテリジェント端末一体化ユニットに対する測定と制御を実現する測定制御モジュールと、
前記スマート変電所におけるすべてのベイのマージングユニット・インテリジェント端末一体化ユニットに接続された一次装置、及び前記マージングユニット・インテリジェント端末一体化ユニットに対する保護を実現する保護モジュールと、
測定制御過程と保護過程で生じた測定制御情報と保護情報を収集し、ワークステーションに伝送し、前記ワークステーションからの指令に基づき一次装置に対する遠隔操作制御を実行する遠隔操作モジュールと、
前記マージングユニット・インテリジェント端末一体化ユニットとプロセスレベル装置とのデータ交換、前記スマート電力サーバと前記プロセスレベル装置とのデータ交換、前記スマート電力サーバとステーションレベル装置とのデータ交換、前記プロセスレベル装置同士のデータ交換、及び前記ステーションレベル装置同士のデータ交換を実現する交換モジュールと、を備える。
【発明の効果】
【０００７】
本発明の実施例に係るスマート変電所の保護制御システムに用いるスマート電力サーバは、スマート変電所におけるすべてのベイのマージングユニット・インテリジェント端末一体化ユニットが、いずれもスマート電力サーバに直接接続され、スマート電力サーバ内に測定制御モジュール、保護モジュール、遠隔操作モジュール及び交換モジュールが集積され、スマート変電所全体の測定制御、保護、遠隔操作及び交換等の専用機能が１台のスマート電力サーバに集積されることにより、変電所全体におけるすべての一次装置の測定制御保護、変電所全体の情報交換及び運動機能を実現することができる。上記技術的解決手段によれば、変電所の二次装置の数及び変電所の占有面積を減少させ、変電所の施工やメンテナンスの難度を低下させ、変電所のクラウド制御、クラウドサービス、エネルギービッグデータ及びエネルギーインターネットの実現に解決手段を提供し、また、本発明の普及により配電網及びマイクログリッド構築の新規技術の融合や展開を推進し、変電所全体の安定性と信頼性を大幅に向上させ、グリッドのエネルギー源の多様化のために技術サポートを提供する。
【図面の簡単な説明】
【０００８】
本発明の例示的な実施例に係る技術的解決手段をより明確に説明するために、以下、実施例の説明に使用される図面を簡単に説明する。勿論、説明される図面は本発明の一部の実施例の図面であり、すべての図面ではない。当業者は、創造的な努力をせずに、これらの図面に基づきほかの図面を得ることができる。
【０００９】
【図１】図１は本発明の実施例１に係るスマート変電所の保護制御システムの構造模式図である。
【図２】図２は本発明の実施例１に係るスマート変電所の保護制御システムに用いるスマート電力サーバの構造模式図である。
【図３】図３は本発明の実施例３に係るスマート変電所の保護制御システムに用いるスマート電力サーバの構造模式図である。
【図４】図４は本発明の実施例３に係るスマート変電所の保護制御システムに用いるスマート電力サーバのハードウェアプラットフォームの構造模式図である。
【発明を実施するための形態】
【００１０】
以下、図面及び実施例を参照して本発明を更に詳細に説明する。ここで説明される具体的な実施例は、本発明を説明するためのものであり、本発明を限定するものではないと理解できる。なお、説明の便宜上、図面は、全内容ではなく、本発明に関連する部分のみを示している。
【００１１】
なお、説明の便宜上、図面は、全内容ではなく、本発明に関連する部分のみを示している。例示的な実施例の詳細な説明では、いくつかの例示的な実施例はフローチャートに作成される処理又は方法として説明されると理解すべきである。フローチャートは各操作（又はステップ）が順に実行される処理として説明されるが、そのうちの多くの操作が並行して又は同時に実施されてもよい。また、各操作の順序を変更してもよい。その操作が完了すると、処理を終了してもよく、さらに図面に含まれていないステップを有してもよい。前記処理は方法、関数、プロシージャ、サブルーチン、サブプログラム等に対応できる。
本発明の実施例に係るマージングユニット・インテリジェント端末一体化ユニットは、マージングユニットとインテリジェント端末を１つの装置に集積したものである。ここで、インテリジェント端末は、インテリジェントエレメントであって、ケーブルを介して一次装置に接続されるとともに、光ファイバーを介して保護や測定制御装置などの二次装置に接続され、一次装置（例えば、遮断器、ナイフスイッチ、主トランスなど）の測定や制御を実行するものである。機能として、上記インテリジェント端末は、回路保護のためにトリップ制御の命令を受けてトリップする機能と、測定制御装置からスイッチのオン・オフ命令を受けてスイッチをオン・オフする機能と、ナイフスイッチの位置に係る信号をアップロードする機能と、温度・湿度に係るデータを収集してアップロードする機能と、を含む様々な機能を実現できる。
【００１２】
実施例１
図１は本発明の実施例１に係るスマート変電所の保護制御システムの構造模式図であり、図２は本発明の実施例１に係るに適用されるスマート変電所の保護制御システムのスマート電力サーバの構造模式図である。図１に示すように、該スマート変電所は、ワークステーション１０、スマート電力サーバ２０、マージングユニット・インテリジェント端末一体化ユニット３０及びベイ４０を備えてもよく、スマート電力サーバ２０はワークステーション１０に接続される。
【００１３】
ここで、スマート変電所におけるすべてのベイのマージングユニット・インテリジェント端末一体化ユニット３０は、いずれもスマート電力サーバ２０に直接接続され、各マージングユニット・インテリジェント端末一体化ユニットは、いずれも組み込み式高帯域幅交換通信ネットワークを介してスマート電力サーバにおける１つのみの伝送ポートに接続される。スマート電力サーバは、各マージングユニット・インテリジェント端末一体化ユニットがいずれも組み込み式高帯域幅交換通信ネットワークを介してスマート電力サーバにおける１つのみの伝送ポートに接続されることにより、プロセスレベルデータをリアルタイムに収集し、収集したプロセスレベルデータにリアルタイムデータ処理を行い、マージングユニット・インテリジェント端末一体化ユニットに接続された一次装置に対するあらゆる保護及び測定制御を実現する。具体的には、組み込み式高帯域幅交換通信ネットワークは、コントローラエリアネットワーク（Ｃｏｎｔｒｏｌｌｅｒ  Ａｒｅａ  Ｎｅｔｗｏｒｋ、ＣＡＮ）バス、フィールドネットワークプロトコル（Ｉｎｔｅｒｎｅｔ  Ｐｒｏｔｏｃｏｌ、ＩＰ）バス、Ｍｏｄｂｕｓバス、プロセスフィールドバス（Ｐｒｏｃｅｓｓ  Ｆｉｅｌｄ  Ｂｕｓ、Ｐｒｏｆｉｂｕｓ）、ハイウェイアドレス可能遠隔トランスデューサ（Ｈｉｇｈｗａｙ  Ａｄｄｒｅｓｓａｂｌｅ  Ｒｅｍｏｔｅ  Ｔｒａｎｓｄｕｃｅｒ、ＨＡＲＴ）バス、ＦＦフィールドバス又は光ファイバーであってもよい。
【００１４】
例示的に、各マージングユニット・インテリジェント端末一体化ユニット３０は、いずれも１本の物理リンクのみを介してスマート電力サーバ２０における１つのみの伝送ポートに接続される。具体的には、各マージングユニット・インテリジェント端末一体化ユニットは、いずれも一対の光ファイバーのみを介して前記スマート電力サーバにおける１つのみの伝送ポートに接続される。スマート電力サーバにおける１つの伝送ポートは、１つの受信ポート及び１つの送信ポートを含み、マージングユニット・インテリジェント端末一体化ユニットは、１つの光ファイバーを介してスマート電力サーバにおける１つの伝送ポートの受信ポートに接続され、別の光ファイバーを介してスマート電力サーバにおける該伝送ポートの送信ポートに接続される。スマート電力サーバは、１本の物理リンクのみを介してプロセスレベルデータをリアルタイムに収集し、たとえば、マージングユニット・インテリジェント端末一体化ユニットから送信されたサンプル値（Ｓａｍｐｌｅｄ  Ｖａｌｕｅ、ＳＶ）メッセージ及び汎用オブジェクト指向変電所イベント（Ｇｅｎｅｒｉｃ  Ｏｂｊｅｃｔ  Ｏｒｉｅｎｔｅｄ  Ｓｕｂｓｔａｔｉｏｎ  Ｅｖｅｎｔｓ、ＧＯＯＳＥ）メッセージを収集し、リアルタイムに収集したプロセスレベルデータをリアルタイムに処理し、前記マージングユニット・インテリジェント端末一体化ユニットに接続された一次装置に対するあらゆる保護及び測定制御を実現する。
【００１５】
ベイ４０は、主トランスベイ、線路ベイ及びバスベイを備えてもよく、各ベイ４０は、少なくとも１つのマージングユニット・インテリジェント端末一体化ユニット３０を備える。
【００１６】
図２に示すように、スマート電力サーバ２０は、測定制御モジュール２０１、保護モジュール２０２、遠隔操作モジュール２０３及び交換モジュール２０４を備えてもよく、
測定制御モジュール２０１は、前記スマート変電所におけるすべてのベイ４０のマージングユニット・インテリジェント端末一体化ユニット３０に接続された一次装置、及びマージングユニット・インテリジェント端末一体化ユニット３０に対する測定及び制御を実現し、
ここで、保護モジュール２０２は、前記スマート変電所におけるすべてのベイ４０のマージングユニット・インテリジェント端末一体化ユニット３０に接続された一次装置、及びマージングユニット・インテリジェント端末一体化ユニット３０に対する保護を実現し、
遠隔操作モジュール２０３は、測定制御過程と保護過程で生じた測定制御情報と保護情報を収集し、ワークステーション１０に伝送し、ワークステーション１０からの指令に基づき一次装置に対する遠隔操作制御を実行し、
交換モジュール２０４は、マージングユニット・インテリジェント端末一体化ユニット３０とプロセスレベル装置とのデータ交換、スマート電力サーバ２０と前記プロセスレベル装置とのデータ交換、スマート電力サーバ２０とステーションレベル装置とのデータ交換、前記プロセスレベル装置同士のデータ交換及び前記ステーションレベル装置同士のデータ交換を実現する。
【００１７】
例示的に、変電所システムは、プロセスレベルと変電所レベルに分けられる。プロセスレベルにおいて、ベイ４０毎にマージングユニット・インテリジェント端末一体化ユニット３０を設置し、１つのベイ４０は複数のマージングユニット・インテリジェント端末一体化ユニット３０を含む可能性があり、ベイ４０は主トランスベイ、線路ベイ及びバスベイ、たとえば、１１０ＫＶ主トランスベイ、３５ＫＶ主トランスベイ、１０ＫＶ主トランスベイ及び１１０ＫＶＰＴベイを含んでもよい。また、スマート電力サーバ２０は、さらにワークステーション１０に接続されてもよく、ワークステーション１０がスマート電力サーバ２０によって前記スマート変電所の運転を監視し管理するものである。また、ワークステーション１０が監視ホストコンピュータであってもよい。具体的には、スマート電力サーバ３０とワークステーション１０は変電所レベルに位置する。各マージングユニット・インテリジェント端末一体化ユニット３０は、いずれも一対の光ファイバーを介してスマート電力サーバ２０に直接接続されて、スマート電力サーバとマージングユニット・インテリジェント端末一体化ユニットとの間での双方向伝送を実現する。各マージングユニット・インテリジェント端末一体化ユニット３０は、スマート電力サーバ２０において、受信ポートと送信ポートから構成される１つの光ファイバー伝送ポートに対応する。具体的には、スマート電力サーバにおける伝送ポートは、マージングユニット・インテリジェント端末一体化ユニットに１対１対応し、つまり、スマート電力サーバは１つのみの伝送ポートを介して１つのマージングユニット・インテリジェント端末一体化ユニットに接続され、各マージングユニット・インテリジェント端末一体化ユニットは、いずれもスマート電力サーバにおける１つのみの伝送ポートに接続される。
【００１８】
また、測定制御モジュール２０１は、スマート変電所におけるすべてのベイ４０のマージングユニット・インテリジェント端末一体化ユニット３０に接続される一次装置、及びマージングユニット・インテリジェント端末一体化ユニット３０に対する測定と制御を実現するようにしてもよい。一次装置は、発電−送電−配電機能を実現する装置、例えば発電機、トランス等であってもよい。具体的には、マージングユニット・インテリジェント端末一体化ユニット３０は、マージングユニットとインテリジェント端末を１つのユニットに集積し、マージングユニットのＳＶメッセージをスマート電力サーバ２０に統合的に送信し、同様にインテリジェント端末のＧＯＯＳＥメッセージをスマート電力サーバ２０に統合的に送信する。スマート電力サーバ２０の測定制御モジュール２０１は、様々な位置又は警報情報を含むＧＯＯＳＥ信号が載せられたＧＯＯＳＥメッセージを受信し、受信したＳＶメッセージとＧＯＯＳＥメッセージを処理し、マージングユニット・インテリジェント端末一体化ユニットにトリップ信号又は制御信号が載せられたＧＯＯＳＥメッセージを送信し、スマート変電所におけるすべての測定及び制御を実現する。
【００１９】
また、保護モジュール２０２は、スマート変電所におけるすべてのベイ４０のマージングユニット・インテリジェント端末一体化ユニット３０に接続された一次装置、及びマージングユニット・インテリジェント端末一体化ユニット３０に対する保護を実現するようにしてもよい。スマート電力サーバ２０の保護モジュール２０２は、スイッチ位置、ナイフスイッチ位置等の保護用ＧＯＯＳＥ信号が載せられたＧＯＯＳＥメッセージを受信し、受信したＳＶメッセージとＧＯＯＳＥメッセージを処理し、マージングユニット・インテリジェント端末一体化ユニットに保護スタート信号又はトリップ信号が載せられたＧＯＯＳＥメッセージを送信し、スマート変電所のすべての保護を実現する。
【００２０】
また、遠隔操作モジュール２０３の動作原理は、スマート電力サーバ２０がワークステーション１０に接続されるため、スマート電力サーバ２０がさらに測定制御過程と保護過程で生じた測定制御情報と保護情報を収集し、ワークステーション１０に伝送し、ワークステーション１０におけるオペレータが受信した測定制御情報と保護情報に基づき、一次装置の動作状態を判断し、一次装置の動作状態に基づき前記一次装置を制御し、具体的にはスマート電力サーバ２０がワークステーション１０からの指令に基づき前記一次装置に対する遠隔操作制御を実行し、スマート変電所のすべての遠隔操作機能を実現することであってもよい。
【００２１】
更に、スマート電力サーバ２０は、接続されたインテリジェント一次装置にＩＰアドレスを割り当ててもよく、前記インテリジェント一次装置は、マージングユニット・インテリジェント端末一体化ユニット３０、マージングユニット及びインテリジェント端末を備えてもよく、スマート電力サーバ２０は、各前記インテリジェント一次装置のメディアアクセス制御（Ｍｅｄｉａ  Ａｃｃｅｓｓ  Ｃｏｎｔｒｏｌ、ＭＡＣ）アドレスとＩＰアドレスのマッピング関係が記憶される。スマート電力サーバ２０は、測定制御情報と保護情報を収集する過程で、インテリジェント一次装置のＭＡＣアドレスとＩＰアドレスのマッピング関係に基づき、前記測定制御情報と保護情報中のＭＡＣアドレスを対応したＩＰアドレスに置換し、前記ＩＰアドレスが載せられた測定制御情報と収集保護情報をワークステーション１０に伝送する。
【００２２】
変流器、計器用変圧器、操作ボックス及び電気ブレーキ等の装置のＭＡＣアドレスを取得できる場合、本発明のスマート電力サーバは、さらに変流器、計器用変圧器、操作ボックス及び電気ブレーキ等の装置にＩＰアドレスを割り当て、これらの装置のＩＰアドレスとＭＡＣアドレスのマッピング関係を保存するようにしてもよい。
【００２３】
例示的に、ワークステーション１０がインテリジェント一次装置のＩＰアドレスを識別でき、スマート電力サーバ２０がインテリジェント一次装置のＭＡＣアドレスを識別することにより、インテリジェント一次装置の測定制御情報及び保護情報を収集するため、スマート電力サーバ２０は、接続されたインテリジェント一次装置に唯一なＩＰアドレスを割り当て、前記インテリジェント一次装置のＭＡＣアドレスとＩＰアドレスのマッピング関係を記憶し、ＭＡＣアドレスとＩＰアドレスのマッピングテーブルを形成し、前記マッピング関係に基づき、測定制御情報と保護情報中のＭＡＣアドレスを対応したＩＰアドレスに置換し、ＩＰアドレスが載せられた測定制御情報と保護情報をワークステーション１０に伝送し、ワークステーション１０におけるオペレータによって測定制御情報と保護情報のソースアドレスを確認する。本発明の実施例のスマート変電所は、スマート変電所に接続されたインテリジェント一次装置に唯一なＩＰアドレスを割り当てることにより、スマート変電所のクラウド制御及びクラウドサービスを実現することができ、エネルギービッグデータとエネルギーインターネットの発展に技術的基礎を築く。
【００２４】
また、交換モジュール２０４は、前記スマート変電所のすべての交換機能、具体的にはマージングユニット・インテリジェント端末一体化ユニット３０とプロセスレベル装置とのデータ交換、スマート電力サーバ２０とプロセスレベル装置とのデータ交換、スマート電力サーバ２０とステーションレベル装置とのデータ交換、プロセスレベル装置同士のデータ交換及びステーションレベル装置同士のデータ交換を実現するようにしてもよい。なお、ステーションレベル装置は、ワークステーションであってもよく、スマート電力サーバ２０に接続されてスマート変電所を管理し監視するための装置、たとえば、監視ホストコンピュータ、データサーバであってもよい。
【００２５】
本発明の実施例１に係るスマート変電所の保護制御システムに用いるスマート電力サーバでは、スマート電力サーバがスマート変電所におけるすべてのベイのマージングユニット・インテリジェント端末一体化ユニットに直接接続され、すべてのマージングユニット・インテリジェント端末一体化ユニットが一対の光ファイバーを介してスマート電力サーバに接続され、スマート電力サーバ内に測定制御モジュール、保護モジュール、遠隔操作モジュール及び交換モジュールが集積され、それにより、スマート変電所のすべての測定制御機能、保護機能、交換機能及び遠隔操作機能の集積を実現でき、変電所の二次装置の数を減少させ、変電所の占有面積を減少させ、さらに変電所の施工やメンテナンスの難度を低下させ、従来技術では二次装置が多数で、占有面積が大きく、施工やメンテナンスの難度が大きいという技術的問題を解決する。また、スマート電力サーバはマージングユニット・インテリジェント端末一体化ユニットと変電所レベルとのデータ交換を統合的に行い、プロセスレベルはネットワーキングが不要であり、変電所レベルはスマート電力サーバのみを有するためネットワーキングが不要である。 
【００２６】
実施例２
本発明に記載のスマート変電所は、ソフトウェア定義機能の技術により集中モデリングを実現し、従来の変電所の分散型モデリング方式を変更する。具体的には、スマート変電所は、スマート変電所全体をモデリング対象とし、変電所配置説明にすべての保護機能の配置情報、測定制御機能の配置情報、交換機能の配置情報、遠隔操作機能の配置情報を直接追加し更新する集中モデリング方式を採用する。
【００２７】
本発明の集中モデリング方式は、変電所のシステム配置説明（Ｓｙｓｔｅｍ  Ｃｏｎｆｉｇｕｒａｔｉｏｎ  Ｄｅｓｃｒｉｐｔｉｏｎ、ＳＣＤ）ツールが、スマート変電所が計画したマージングユニット・インテリジェント端末一体化ユニット、及び前記スマート変電所の応用シーンに応じて設定される各専用機能に基づき、前記スマート変電所のＳＣＤファイルを作成し、前記スマート変電所のＳＣＤファイルに前記専用機能の配置情報を設定することである。スマート電力サーバは、前記スマート変電所のＳＣＤファイルに基づきスマート電力サーバのインテリジェント電子デバイス配置説明（Ｃｏｎｆｉｇｕｒｅｄ  ＩＥＤ  Ｄｅｓｃｒｉｐｔｉｏｎ、ＣＩＤ）ファイルを生成する。動作時、スマート電力サーバはスマート電力サーバのＣＩＤファイルを解析し、各専用機能の配置情報を取得し、各専用機能の配置情報及びマージングユニット・インテリジェント端末一体化ユニットから送信されたＳＶメッセージとＧＯＯＳＥメッセージに基づき、前記スマート変電所のすべての測定制御機能、保護機能、交換機能及び遠隔操作機能を実現する。
【００２８】
前記スマート変電所が専用機能を追加し又は更新すると、前記スマート変電所のＳＣＤファイルに、追加又は更新した前記専用機能に関連する配置情報を設定し、前記スマート変電所のＳＣＤファイル内に、追加又は更新した前記専用機能のプロセスレベル仮想端子を関連付ける。
【００２９】
測定制御モジュールは、具体的には、測定制御機能のＣＩＤファイルに定義された測定制御機能と前記伝送ポートの対応関係に基づき、対応した伝送ポートを介して、指定したマージングユニット・インテリジェント端末一体化ユニットからサブスクライブするＳＶ／ＧＯＯＳＥデータを取得し、サブスクライブしたＳＶ／ＧＯＯＳＥデータを処理して、前記指定したマージングユニット・インテリジェント端末一体化ユニットに接続された一次装置及び前記指定したマージングユニット・インテリジェント端末一体化ユニットに対する測定制御を実現する。
【００３０】
保護モジュールは、具体的には、保護機能のＣＩＤファイルに定義された保護機能と前記伝送ポートの対応関係に基づき、対応した伝送ポートを介して、指定したマージングユニット・インテリジェント端末一体化ユニットからサブスクライブしたＳＶ／ＧＯＯＳＥデータを取得し、サブスクライブしたＳＶ／ＧＯＯＳＥデータを処理して、前記指定したマージングユニット・インテリジェント端末一体化ユニットに接続された一次装置及び前記指定したマージングユニット・インテリジェント端末一体化ユニットに対する保護を実現する。
【００３１】
遠隔操作モジュールは、具体的には、遠隔操作機能のＣＩＤファイルに定義されたレポートブロックコンテンツに基づき、測定制御機能による測定制御過程及び／又は保護機能による保護過程で生じたレポート情報を収集して、前記レポート情報中の前記マージングユニット・インテリジェント端末一体化ユニットのＭＡＣアドレスを前記マージングユニット・インテリジェント端末一体化ユニットのＩＰアドレスに変換し、前記レポート情報をステーションレベル装置に送信する。
【００３２】
例示的に、スマート変電所の応用シーンによって、設定する専用機能が異なる。ＳＣＤファイルは、２つの方法で作成することができ、その１つの方法として、ＳＣＤファイル配置ツールがＳＣＤファイルにおいて各専用機能の配置情報、各マージングユニット・インテリジェント端末一体化ユニットの配置情報を直接設定し、プロセスレベル仮想端子を関連付け、スマート変電所のニーズが変化して新たな専用機能を追加し又は既存の専用機能を更新する必要がある時、ＳＣＤファイル配置ツールがＳＣＤファイルに、対応した専用機能の配置情報を直接追加又は更新し、前記スマート変電所のＳＣＤファイルに、追加又は更新した前記専用機能のプロセスレベル仮想端子を直接関連付ける。スマート電力サーバは、前記スマート変電所のＳＣＤファイルに基づき前記スマート電力サーバのＣＩＤファイルを生成する。動作時、スマート電力サーバはスマート電力サーバのＣＩＤファイルを解析して、各専用機能の配置情報を取得し、各専用機能の配置情報及びマージングユニット・インテリジェント端末一体化ユニットから送信されたＳＶメッセージとＧＯＯＳＥメッセージに基づき、前記スマート変電所のすべての保護機能、測定制御機能、交換機能及び遠隔操作機能を実現する。
【００３３】
ＳＣＤファイルを作成するためのもう１つの方法として、まずスマート電力サーバのインテリジェント電子デバイス機能説明（ＩＥＤ  Ｃａｐａｂｉｌｉｔｙ  Ｄｅｓｃｒｉｐｔｉｏｎ、ＩＣＤ）ファイルを作成し、スマート電力サーバのＩＣＤファイルに各専用機能を設定し、次に、ＳＣＤファイル配置ツールがスマート電力サーバのＩＣＤファイルとマージングユニット・インテリジェント端末一体化ユニットのＩＣＤファイルに基づきスマート変電所全体のＳＣＤファイルを生成し、ＳＣＤファイルにプロセスレベル仮想端子を関連付ける。スマート電力サーバは、前記スマート変電所のＳＣＤファイルに基づき前記スマート電力サーバのＣＩＤファイルを生成する。動作時、スマート電力サーバはスマート電力サーバのＣＩＤファイルを解析して、各専用機能の配置情報を取得し、各専用機能の配置情報及びマージングユニット・インテリジェント端末一体化ユニットから送信されたＳＶメッセージとＧＯＯＳＥメッセージに基づき、前記スマート変電所のすべての保護機能、測定制御機能、交換機能及び遠隔操作機能を実現する。スマート変電所のニーズが変化して新たな専用機能を追加し又は既存の専用機能を更新する必要がある時、まず、スマート電力サーバのＩＣＤファイルに対応した専用機能を追加又は更新し、次に、ＳＣＤファイル配置ツールが改めてスマート電力サーバのＩＣＤファイルとマージングユニット・インテリジェント端末一体化ユニットのＩＣＤファイルに基づきスマート変電所全体のＳＣＤファイルを生成し、ＳＣＤファイルにプロセスレベル仮想端子を関連付ける。
【００３４】
従来技術では、各保護装置、各測定制御装置について個別にモデリングし、それぞれ１つのＩＣＤファイルを付与し、次に各装置のＩＣＤファイルにＳＣＤツールを導入し、統合的なインスタンス配置を行い、システム全体のＳＣＤファイルを生成する。各装置はさらに専用ツールによりＳＣＤファイル中の自体に関連するコンテンツをローカルにダウンロードしてＣＩＤファイルを形成する。つまり、従来の変電所の分散型モデリング方式は単一の物理装置を追加してから各装置の機能を追加することである。二次装置の数が非常に多いだけでなく、各二次装置のＩＣＤファイルを集積してインスタンス化してＳＣＤファイルを生成し、さらに装置メーカーが専用ツールによりＳＣＤファイル中の本装置に関連するコンテンツすなわちＣＩＤファイルを装置内にダウンロードするため、全配置過程が複雑で煩わしい。
【００３５】
実施例３
図３は本発明の実施例３に係るスマート変電所の保護制御システムに用いるスマート電力サーバの構造模式図であり、該スマート電力サーバは任意のスマート変電所に適用できる。本実施例は上記実施例を最適化したものである。図３に示すように、該スマート電力サーバ２０は、ハードウェアプラットフォーム３０１、オペレーティングシステム３０２及び専用機能モジュール３０３を備えてもよく、オペレーティングシステム３０２はハードウェアプラットフォーム３０１に配置される。
【００３６】
図３に示すように、専用機能モジュール３０３、たとえば、主トランス差動保護モジュール３０３１、主トランスサブ保護モジュール３０３２、サブ電源自動投入モジュール３０３３、低周波数・低電圧単独運転モジュール３０３４、ベイレベル・フェールセーフ・モジュール３０３５、主トランス測定制御モジュール３０３６、共用測定制御モジュール３０３７、遠隔操作モジュール３０３８及び交換モジュール３０３９は、１台のスマート電力サーバ２０に集積される。保護機能を実現するためのモジュールは、主トランス差動保護モジュール３０３１、主トランスサブ保護モジュール３０３２、サブ電源自動投入モジュール３０３３、低周波数・低電圧単独運転モジュール３０３４及びベイレベル・フェールセーフ・モジュール３０３５を備えてもよく、測定制御タスクを実現するためのモジュールは、主トランス測定制御模３０３６及び共用測定制御モジュール３０３７を備えてもよい。
【００３７】
また、ハードウェアプラットフォーム３０１は、リアルタイム処理用中央プロセッサチップ３０１１、主制御用中央プロセッサチップ３０１２、スイッチチップ３０１３及びフィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）アクセスチップ３０１４を備えてもよい。
【００３８】
また、オペレーティングシステム３０２は、リアルタイムソフトウェアインタフェースモジュール３０２１、非リアルタイムソフトウェアインタフェースモジュール３０２２、リアルタイム機能処理モジュール３０２３、非リアルタイム機能処理モジュール３０２４、ネットワークデータパケット解析モジュール３０２５及びデータパケット交換管理モジュール３０２６を備えてもよい。
【００３９】
また、専用機能モジュール３０３は、主トランス差動保護モジュール３０３１、主トランスサブ保護モジュール３０３２、サブ電源自動投入モジュール３０３３、低周波数・低電圧単独運転モジュール３０３４、ベイレベル・フェールセーフ・モジュール３０３５、主トランス測定制御モジュール３０３６、共用測定制御モジュール３０３７、遠隔操作モジュール３０３８及び交換モジュール３０３９を備えてもよい。
【００４０】
例示的に、スマート電力サーバ２０のハードウェアプラットフォーム３０１は、スマート電力サーバ２０にハードウェアサポートを提供し、完全な機能を実現するために必要なハードウェアアクセス及び計算能力を提供することができる。スマート電力サーバ２０のオペレーティングシステム３０２は、スマート電力サーバ２０に組み込み式ｌｉｎｕｘソフトウェアプラットフォームを提供し、さらに専用機能モジュール３０３にオペレーティングシステムのサポートを提供することができる。専用機能モジュール３０３はスマート電力サーバ２０に取り付けられて、特定の専用機能を実現するようにしてもよい。
【００４１】
更に、ハードウェアプラットフォーム３０１において、リアルタイム処理用中央プロセッサチップ３０１１は、主トランス差動保護、主トランスサブ保護、サブ電源自動投入装置、低周波数・低電圧単独運転、ベイレベル・フェールセーフ、主トランス測定制御及び共用測定制御を含むリアルタイムタスクを処理し、主制御用中央プロセッサチップ３０１２は、遠隔操作機能を含む非リアルタイムタスクを処理し、スイッチチップ３０１３は、ＦＰＧＡアクセスチップ３０１４とプロセスレベル装置とのデータ交換、主制御用中央プロセッサチップ３０１２と前記プロセスレベル装置とのデータ交換、前記プロセスレベル装置同士のデータ交換、ステーションレベル装置同士のデータ交換を実現し、ＦＰＧＡアクセスチップ３０１４は、各マージングユニット・インテリジェント端末一体化ユニット３０から送信されたＳＶメッセージとＧＯＯＳＥメッセージをリアルタイムに受信し、受信したメッセージにＳＶ処理又はＧＯＯＳＥ処理を行ってリアルタイム処理用中央プロセッサチップ３０１１に伝送して専用機能処理を実現し、リアルタイム処理用中央プロセッサチップ３０１１の処理結果に基づきマージングユニット・インテリジェント端末一体化ユニット３０にＧＯＯＳＥメッセージを送信する。
【００４２】
例示的に、リアルタイム処理用中央プロセッサチップ３０１１は、リアルタイム処理用チップとして、ＧＯＯＳＥメッセージとＳＶメッセージをリアルタイムに受信して分析し、ＧＯＯＳＥメッセージとＳＶメッセージにリアルタイム演算機能を行い、演算結果に基づきＧＯＯＳＥメッセージをリアルタイムに生成することができ、リアルタイム処理用中央プロセッサチップ３０１１はさらに、ＦＰＧＡアクセスチップ３０１４と警報機能チップを管理し、スマート電力サーバ２０の停電時にリアルタイムメッセージデータを保存することができる。主制御用中央プロセッサチップ３０１２は、非リアルタイム処理用チップとして、主制御用プロセッサに用いられて、装置内における各モジュールの管理を実現し、さらに、非リアルタイムソフトウェアの実行を制御し、外部に管理シリアルポート、管理ネットワークポート及びスケジューリングシリアルポートを提供し、スマート電力サーバ２０の停電時にリアルタイムレポート情報を保存することができる。スイッチチップ３０１３は、ステーションレベルスケジューリングインタフェースとして、プロセスレベル装置のアクセス及びデータ交換（プロセスレベル交換タスクインタフェース、プロセスレベルネットワークとの接続）、ステーションレベル装置のアクセス及びデータ交換（ステーションレベル交換タスクインタフェース、ステーションレベルネットワークとの接続）、装置内部のＦＰＧＡアクセスチップ３０１４とプロセスレベル装置とのデータ交換、主制御用中央プロセッサチップ３０１２とスマート電力サーバ２０の外部装置とのデータ交換を実現することができる。主制御用中央プロセッサチップ３０１２の処理結果を、メッセージの形式でステーションレベル装置に送信する。また、外部装置は、プロセスレベル装置、ベイレベル装置及びステーションレベル装置であってもよい。プロセスレベル装置はマージングユニット・インテリジェント端末一体化ユニット３０、事故記録及び記録分析システムであってもよい。ＦＰＧＡアクセスチップ３０１４は、外部にマージングユニット・インテリジェント端末一体化ユニット３０にアクセスするためのファストイーサネット（登録商標）光ポート（マージングユニット・インテリジェント端末一体化ユニットのタスクインタフェース）を１６個提供し、さらにプロセスレベルにおけるイーサネットデータリアルタイムアクセス処理モジュールとして、マージングユニット・インテリジェント端末一体化ユニット３０から送信されたＧＯＯＳＥとＳＶメッセージをリアルタイムに受信してメッセージコンテンツを抽出し、抽出したメッセージコンテンツを２個のギガビットイーサネットポートを介してリアルタイム処理用中央プロセッサチップ３０１１に送信してリアルタイムデータ処理を行い、さらに、リアルタイム処理用中央プロセッサチップ３０１１の計算結果に基づきＧＯＯＳＥメッセージを送信し、ＧＯＯＳＥメッセージを１６個のファストイーサネット光ポートを介して対応したマージングユニット・インテリジェント端末一体化ユニット３０に送信し、さらに配置に応じて、受信したＧＯＯＳＥとＳＶメッセージ及び送信したＧＯＯＳＥメッセージを交換モジュールにコピーし、交換モジュールにより事故記録装置及び分析記録装置等のプロセスレベル装置に送信することができる。ＦＰＧＡアクセスチップ３０１４に警報装置がさらに外付けされてもよい。
【００４３】
また、図４に示すように、ハードウェアプラットフォーム３０１はリアルタイム処理用中央プロセッサチップ３０１１、主制御用中央プロセッサチップ３０１２、スイッチチップ３０１３及びＦＰＧＡアクセスチップ３０１４からなり、リアルタイム処理用中央プロセッサチップ３０１１、主制御用中央プロセッサチップ３０１２及びＦＰＧＡアクセスチップ３０１４は接続ケーブルを介して接続され、主制御用中央プロセッサチップ３０１２とＦＰＧＡアクセスチップ３０１４は、さらにスイッチチップ３０１３にそれぞれ接続されるようにしてもよい。ハードウェアプラットフォーム２０１はさらにクロックリセット・オンボード電源モジュール３０１５とインタフェースモジュール３０１６を備えてもよく、クロックリセット・オンボード電源モジュール３０１５とインタフェースモジュール３０１６は、それぞれ主制御用中央プロセッサチップ３０１２に接続される。具体的には、クロックリセット・オンボード電源モジュールは、スマート変電所の各モジュール及びチップのリセットを実現し、ハードウェアプラットフォーム３０１内における各機能モジュールに基準クロックを提供し、イーサネットと１５８８の同期化機能を実現し、１２Ｖ電源からハードウェアプラットフォーム３０１の各チップに必要な電源に対する変換を実現し、システム状態の監視及び電源状態の監視を行う。インタフェースモジュールはフォトカプラの入力出力インタフェース、リレーのドライ接点入力出力、１００ＢＡＳＥ−ＦＸと１０００ＢＡＳＥ−ＸＳＦＰのインタフェース、ＲＪ４５インタフェースの信号遮断及び保護、ＲＳ２３２インタフェースのレベル変換を実現する。
【００４４】
また、リアルタイム処理用中央プロセッサチップ３０１１と主制御用中央プロセッサチップ３０１２として、Ｆｒｅｅｓｃａｌｅ社のＴ１０４０高性能マルチコアプロセッサチップを使用してもよい。
【００４５】
さらに、オペレーティングシステム３０２において、リアルタイムソフトウェアインタフェースモジュール３０２１と非リアルタイムソフトウェアインタフェースモジュール３０２２は、各専用機能モジュール３０３にデータインタフェースを提供し、リアルタイム機能処理モジュール３０２３と非リアルタイム機能処理モジュール３０２４は、ソフトウェア定義方式により各専用機能モジュール３０３に対応した処理ポリシーを設定し、リアルタイム機能処理モジュール３０２３は、さらに浮動小数点演算処理、ＧＯＯＳＥ及びＳＶメッセージ処理を行い、ネットワークデータパケット解析モジュール３０２５及びデータパケット交換管理モジュール３０２６はＧＯＯＳＥメッセージ及びＳＶメッセージを解析して生成したＧＯＯＳＥメッセージを解析する。
【００４６】
また、オペレーティングシステム３０２は、リアルタイムｌｉｎｕｘプラットフォームモジュールと、セキュリティ特性モジュールと、装置及びネットワーク管理モジュールと、を備えてもよい。
【００４７】
更に、専用機能モジュール３０３において、主トランス差動保護モジュール３０３１は、一次装置を電流不均衡の影響に起因する保護誤動作から保護し、主トランスサブ保護モジュール３０３２は、主トランス差動保護が故障して動作しない場合、サブ保護により一次装置を保護し、サブ電源自動投入モジュール３０３３は、交流連続サンプリング方式により信号を収集してフーリエ法演算をリアルタイムに行い、電源状態を正確に判断し、電源の時延切換を実施し、低周波数・低電圧単独運転モジュール３０３４は、発電機の出力が不十分又はシステムの容量が小さい時、二次側負荷を切断し、主要負荷の安全動作を確保し、発電機の円滑な動作を確保し、ベイレベル・フェールセーフ・モジュール３０３５はスマート電力サーバ２０とスマート変電所の監視ネットワークに依存し、スマート電力サーバ２０において、管理ソフトウェアを介して、コンピュータ・フェールセーフ・システムのフェールセーフ・ロジックに従ってロックロジックをスマート電力サーバ２０にインストールしてスマート電力サーバ２０の動作のロジック・フェールセーフ機能を実現し、具体的には、フェールセーフ機能とは、（１）ブレカーの誤動作を防止すること、（２）負荷状態での断路器の誤動作を防止すること、（３）導通状態での接地線（接地ナイフスイッチ）の導通／遮断を防止すること、（４）接地線（接地ナイフスイッチ）導通状態でのブレカー（断路器）の導通を防止すること、（５）作業者が誤って導通状態のセルに入ることを防止すること、を含む。主トランス測定制御モジュール３０３６は、メッセージコンテンツに基づき対応した主トランス測定制御処理ポリシーをマッチングし、マッチングした主トランス測定制御処理ポリシーに従ってメッセージを処理することができ、共用測定制御モジュール３０３７はメッセージコンテンツに基づき対応した主共用測定制御処理ポリシーをマッチングし、マッチングした共用測定制御処理ポリシーに従ってメッセージを処理することができ、遠隔操作モジュール３０３８は一次装置に対する遠隔操作制御、スマート変電所のすべての遠隔操作タスクを実現することができ、交換モジュール３０３９はスマート変電所のすべての交換機能、たとえば、スマート電力サーバ２０とプロセスレベル装置とのデータ交換、プロセスレベル装置同士のデータ交換、ステーションレベル装置同士のデータ交換を実現することができる。
【００４８】
また、スマート電力サーバ２０は、専用機能モジュールとして、事故記録モジュール及びネットワーク分析記録モジュールをさらに備え、及び／又は、スマート電力サーバ２０は、地域スケジューリングセンタに接続されるファイアウォールモジュールを備えるようにしてもよい。
【００４９】
例示的に、事故記録モジュールは、スマート変電所システムが故障する時、故障前、故障後の各種電力の変化状況を自動的かつ正確に記録することができ、事故記録モジュールは、一次装置が故障する時、故障前、故障後の各種電力の変化状況をもって、メンテナンス作業者が故障発生時の一次装置の動作状況を把握し、メンテナンス作業者がメンテナンス作業をタイムリーに行うことに寄与する。
【００５０】
例示的に、ネットワーク分析記録モジュールは、一次装置の動作状態を自動的に分析して記録し、一次装置の状態パラメータを取得することができ、操作者はネットワーク分析記録機能を利用して一次装置の動作状況をタイムリーに把握し、発生する可能性のある故障を予め判定し、タイムリーに解決する。
【００５１】
例示的に、ファイアウォールモジュールは、エクストラネットによる攻撃を防止し、スマート電力サーバをエクストラネットによる攻撃から守ることができる。更に、前記地域スケジューリングセンタは地級スケジューリング機構、県級スケジューリング機構又は第四級スケジューリング機構であってもよい。
【００５２】
また、スマート電力サーバ２０はさらに、事故記録データ、イベント順序記録データ及び動作レポートの停電保持機能を提供することに用いられる停電保持モジュールを備えてもよい。
【００５３】
例示的に、サーバの動作過程で、異常状況によって急に停電する可能性があり、事故記録モジュールの記録過程におけるデータ損失を防止するために、停電保持モジュールは停電の場合に、事故記録データとイベント順序記録データを保存する。同様に、専用機能モジュール３０３の動作過程で、ステーションレベル装置に動作イベントを報告し、停電前の動作レポートデータの損失を回避するために、停電保持モジュールは停電の場合、動作レポートデータを保存する。
【００５４】
本実施例に係るスマート変電所の保護制御システムに用いるスマート電力サーバは、ハードウェアプラットフォームにオペレーティングシステムを配置し、オペレーティングシステムにより専用機能モジュールに処理ポリシーを提供することによって、各種の専用機能の処理速度を高めることができ、さらにすべての専用機能を揃えてスマート電力サーバ上にモデリングすることができ、従って、モデリング方式が簡単であり、変電所システム全体のモデリング能力を向上させ、また、スマート電力サーバの専用機能をモジュール化し、スマート変電所のすべての測定制御機能、保護機能、交換機能及び遠隔操作機能を集積し、更に変電所技術の継続発展に応じてスマート電力サーバの機能をアップグレードする時、スマート電力サーバの変更をできるだけ減少させ、アップグレード時間を短縮させ、アップグレード複雑度を低下させる。
【００５５】
また、前記スマート変電所におけるすべてのベイのマージングユニット・インテリジェント端末一体化ユニット３０は、いずれもスマート電力サーバ２０のＦＰＧＡアクセスチップの対応した伝送ポートに１対１対応してアクセスされてもよい。マージングユニット・インテリジェント端末一体化ユニット３０とスマート電力サーバ２０との間におけるメッセージ伝送は、ＦＰＧＡアクセスチップにより提供される伝送ポートによって実現され、メッセージの送受信過程における時間遅延を短縮させ、メッセージ伝送のリアルタイム性を向上させる。
【００５６】
また、スマート電力サーバ２０は、マージングユニット・インテリジェント端末一体化ユニット３０から送信されたデータメッセージを、前記データメッセージを送信するマージングユニット・インテリジェント端末一体化ユニット３０の所属のベイ４０、マージングユニット・インテリジェント端末一体化ユニット３０及び前記データメッセージのメッセージタイプに応じて分類して記憶するための拡張可能マークアップ言語（Ｅｘｔｅｎｓｉｂｌｅ  Ｍａｒｋｕｐ  Ｌａｎｇｕａｇｅ、ＸＭＬ）データベースがさらに設置されてもよい。
【００５７】
例示的に、ＸＭＬデータベースのドキュメントツリーにおいて、第一階層ノードはベイ４０であり、第一階層ノードに接続される第二階層ノードはベイ４０におけるマージングユニット・インテリジェント端末一体化ユニット３０であり、第二階層ノードに接続される第三階層ノードはマージングユニット・インテリジェント端末一体化ユニット３０から送信されたメッセージのすべてのメッセージタイプであり、ＳＶメッセージ及びＧＯＯＳＥメッセージを含む。メッセージのソースアドレスを解析することにより、メッセージ送信者の所属ベイ及び送信者としてのマージングユニット・インテリジェント端末一体化ユニットを決定できる。ＸＭＬデータベースはノードタイプに応じて分類して記憶し、事故記録機能とネットワーク分析記録機能にサポートを提供する。
【００５８】
なお、以上、本発明の好ましい実施例及びその技術的原理のみを説明した。当業者であれば、本発明は上記特定実施例に限定されるものではなく、本発明の保護範囲を逸脱せずに、各種の明らかな変更、変形や置換を行うことができると理解できる。従って、上記実施例を参照して本発明を詳細に説明したが、本発明は上記実施例に限定されるものではなく、本発明の発想を逸脱せずに、より多くの等価実施例を含んでもよく、本発明の範囲は添付される特許請求の範囲に決められる。
【符号の説明】
【００５９】
１０・・・ワークステーション、２０・・・スマート電力サーバ。
【図１】
2018057250.tif 000003
【図２】
2018057250.tif 000004
【図３】
2018057250.tif 000005
【図４】
2018057250.tif 000006
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
スマート変電所の保護制御システムに用いるスマート電力サーバであって、
前記スマート変電所におけるすべてのベイのマージングユニット・インテリジェント端末一体化ユニットがいずれも前記スマート電力サーバに直接接続され、各前記マージングユニット・インテリジェント端末一体化ユニットが、いずれも組み込み式高帯域幅交換通信ネットワークを介して前記スマート電力サーバにおける１つのみの伝送ポートに接続され、
前記スマート変電所におけるすべてのベイのマージングユニット・インテリジェント端末一体化ユニットに接続された一次装置、及び前記マージングユニット・インテリジェント端末一体化ユニットに対する測定と制御を実現する測定制御モジュールと、
前記スマート変電所におけるすべてのベイのマージングユニット・インテリジェント端末一体化ユニットに接続された一次装置、及び前記マージングユニット・インテリジェント端末一体化ユニットに対する保護を実現する保護モジュールと、
測定制御過程と保護過程で生じた測定制御情報と保護情報を収集し、ワークステーションに伝送し、前記ワークステーションからの指令に基づき前記一次装置に対する遠隔操作制御を実行する遠隔操作モジュールと、
前記マージングユニット・インテリジェント端末一体化ユニットとプロセスレベル装置とのデータ交換、前記スマート電力サーバと前記プロセスレベル装置とのデータ交換、前記スマート電力サーバとステーションレベル装置とのデータ交換、前記プロセスレベル装置同士のデータ交換、及び前記ステーションレベル装置同士のデータ交換を実現する交換モジュールと、を備えることを特徴とするスマート電力サーバ。
【請求項２】
前記スマート変電所は、スマート変電所全体をモデリング対象とし、変電所配置説明ＳＣＤにすべての保護機能の配置情報、測定制御機能の配置情報、交換機能の配置情報、遠隔操作機能の配置情報を直接追加し更新するという集中モデリング方式を採用することを特徴とする請求項１に記載のスマート電力サーバ。
【請求項３】
前記スマート変電所のＳＣＤファイルは、前記スマート変電所が計画したマージングユニット・インテリジェント端末一体化ユニット及び専用機能に基づき作成され、前記スマート変電所のＳＣＤファイルは各前記専用機能の配置情報が定義され、前記専用機能が前記スマート変電所の応用シーンに応じて設定され、
前記測定制御モジュールは、具体的には、測定制御機能の配置情報に定義された測定制御機能と前記伝送ポートとの対応関係に基づき、対応した伝送ポートを介して、指定したマージングユニット・インテリジェント端末一体化ユニットからサブスクライブするサンプル値ＳＶ／汎用オブジェクト指向変電所イベントＧＯＯＳＥデータを取得し、前記サブスクライブしたＳＶ／ＧＯＯＳＥデータを処理して、前記指定したマージングユニット・インテリジェント端末一体化ユニットに接続された一次装置及び指定したマージングユニット・インテリジェント端末一体化ユニットに対する測定制御を実現し、前記スマート電力サーバのインテリジェント電子デバイス配置説明ＣＩＤファイルはＳＣＤファイルに基づき生成され、測定制御機能の配置情報を含み、又は、
前記保護モジュールは、具体的には、保護機能の配置情報に定義された保護機能と前記伝送ポートとの対応関係に基づき、対応した伝送ポートを介して、指定したマージングユニット・インテリジェント端末一体化ユニットからサブスクライブするＳＶ／ＧＯＯＳＥデータを取得し、前記サブスクライブしたＳＶ／ＧＯＯＳＥデータを処理して、前記指定したマージングユニット・インテリジェント端末一体化ユニットに接続された一次装置及び指定したマージングユニット・インテリジェント端末一体化ユニットに対する保護を実現し、前記スマート電力サーバのＣＩＤファイルはＳＣＤファイルに基づき生成され、保護機能の配置情報を含み、又は、
前記遠隔操作モジュールは、具体的には、遠隔操作機能の配置情報に定義されたレポートブロックコンテンツに基づき、測定制御機能による測定制御過程及び／又は保護機能の保護過程で生じたレポート情報を収集し、前記レポート情報中の前記マージングユニット・インテリジェント端末一体化ユニットのメディアアクセス制御ＭＡＣアドレスを前記マージングユニット・インテリジェント端末一体化ユニットのネットワークプロトコルＩＰアドレスに変換し、前記レポート情報を前記ステーションレベル装置に送信し、前記スマート電力サーバのＣＩＤファイルはＳＣＤファイルに基づき生成され、遠隔操作機能の配置情報を含むことを特徴とする請求項１又は２に記載のスマート電力サーバ。
【請求項４】
前記スマート電力サーバのハードウェアプラットフォームは、リアルタイム処理用中央プロセッサチップ、主制御用中央プロセッサチップ、スイッチチップ及びフィールドプログラマブルゲートアレイＦＰＧＡアクセスチップを備え、
前記リアルタイム処理用中央プロセッサチップは、主トランス差動保護、主トランスサブ保護、サブ電源自動投入装置、低周波数・低電圧単独運転、ベイレベル・フェールセーフ、主トランス測定制御及び共用測定制御を含むリアルタイムタスクを処理し、
前記主制御用中央プロセッサチップは、遠隔操作機能を含む非リアルタイムタスクを処理し、
前記スイッチチップは、前記フィールドプログラマブルゲートアレイＦＰＧＡアクセスチップとプロセスレベル装置とのデータ交換、前記主制御用中央プロセッサチップと前記プロセスレベル装置とのデータ交換、前記プロセスレベル装置同士のデータ交換、ステーションレベル装置同士のデータ交換を実現し、
前記フィールドプログラマブルゲートアレイＦＰＧＡアクセスチップは、各前記マージングユニット・インテリジェント端末一体化ユニットから送信されたサンプル値メッセージと汎用オブジェクト指向変電所イベントメッセージをリアルタイムに受信し、受信したメッセージにサンプル値処理又は汎用オブジェクト指向変電所イベント処理を行って前記リアルタイム処理用中央プロセッサチップに伝送して専用機能処理を実現し、前記リアルタイム処理用中央プロセッサチップの処理結果に基づき前記マージングユニット・インテリジェント端末一体化ユニットに汎用オブジェクト指向変電所イベントメッセージを送信し、さらに、受信したサンプル値メッセージと汎用オブジェクト指向変電所イベントメッセージを前記スイッチチップにコピーし、前記スイッチチップによりプロセスレベルネットワークに送信することを特徴とする請求項３に記載のスマート電力サーバ。
【請求項５】
前記スマート変電所におけるすべてのベイのマージングユニット・インテリジェント端末一体化ユニットは、前記フィールドプログラマブルゲートアレイＦＰＧＡアクセスチップの伝送ポートに１対１対応するように、いずれも１本の物理リンクのみを介して前記スマート電力サーバの前記フィールドプログラマブルゲートアレイＦＰＧＡアクセスチップの伝送ポートにアクセスされることを特徴とする請求項４に記載のスマート電力サーバ。
【請求項６】
前記スマート電力サーバは、前記マージングユニット・インテリジェント端末一体化ユニットから送信されたデータメッセージを、前記データメッセージを送信するマージングユニット・インテリジェント端末一体化ユニットの所属ベイ、前記マージングユニット・インテリジェント端末一体化ユニット及びメッセージタイプに応じて分類して記憶するための拡張可能マークアップ言語ＸＭＬデータベースがさらに設置されることを特徴とする請求項１又は２に記載のスマート電力サーバ。
【請求項７】
前記スマート電力サーバは、接続されたインテリジェント一次装置であって、前記マージングユニット・インテリジェント端末一体化ユニット、マージングユニット及びインテリジェント端末を含むインテリジェント一次装置にＩＰアドレスを割り当て、前記スマート電力サーバは、各前記インテリジェント一次装置のＭＡＣアドレスとＩＰアドレスのマッピング関係が記憶されることを特徴とする請求項３に記載のスマート電力サーバ。
【請求項８】
前記遠隔操作モジュールは、さらに、測定制御情報と保護情報を収集する過程で、前記インテリジェント一次装置のＭＡＣアドレスとＩＰアドレスのマッピング関係に基づき、前記測定制御情報と保護情報中のＭＡＣアドレスを対応したＩＰアドレスに置換し、ＩＰアドレスが載せられた測定制御情報と保護情報を前記ワークステーションに伝送することに用いられることを特徴とする請求項７に記載のスマート電力サーバ。
【請求項９】
前記スマート電力サーバは、専用機能モジュールとして、事故記録モジュール及びネットワーク分析記録モジュールをさらに備え、及び／又は、前記スマート電力サーバは、地域スケジューリングセンタに接続されるファイアウォールモジュールをさらに備えることを特徴とする請求項１又は２に記載のスマート電力サーバ。
【請求項１０】
前記スマート電力サーバは、事故記録データ、イベント順序記録データ、動作レポートの停電保持機能を提供する停電保持モジュールを備えることを特徴とする請求項９に記載のスマート電力サーバ。
【外国語明細書】
2018057250.tif 000007
2018057250.tif 000008
2018057250.tif 000009
2018057250.tif 000010
2018057250.tif 000011
2018057250.tif 000012
2018057250.tif 000013
2018057250.tif 000014
2018057250.tif 000015
2018057250.tif 000016
2018057250.tif 000017
2018057250.tif 000018
2018057250.tif 000019
2018057250.tif 000020
2018057250.tif 000021
2018057250.tif 000022
2018057250.tif 000023
2018057250.tif 000024
2018057250.tif 000025
2018057250.tif 000026
2018057250.tif 000027
2018057250.tif 000028
2018057250.tif 000029
2018057250.tif 000030
2018057250.tif 000031
2018057250.tif 000032
2018057250.tif 000033